(57)【要約】      （修正有）【課題】扉の破壊、ストーカーによる待ち伏せ行為や就寝中の押し込み強盗と多種多様の犯罪行為に対する備えを持った扉監視装置を提供する。【解決手段】サムターンの上側に設置した監視装置によりサムターンの動きと扉の開閉、扉の振動、設定モードに合致した操作かの監視を行い、異常時には警報や警報信号を発する。本発明は設置及び移設が簡単にできるようにセンサー対応部品以外はすべて本体に内蔵されている。また扉に衝撃を与えることによって威嚇ブザーが鳴るので帰宅時及び玄関での部外者との対応も安心して行える。【選択図】図５
2005030176.tif 000002
【特許請求の範囲】
【請求項１】
目的を達成するために動作する機械及び機器であっても、使用者の判断でその動作を中止することが可能であり、動作を中止された機械及び機器は目的を達成していない状態で待機している。目的が達成されていない状態を確認できない状況では、その動作の中止を判断して動作の中止を実行した使用者だけが、目的が達成されていない状態を把握している。目的が達成されていない状態の認識がある者だけを、使用者として分類及び認証する。目的が達成されていない状態の認識がない者は部外者として除外する。認証された者だけが目的を達成又は放棄する権利を得る、状態の認識による分類及び認証方法。
【請求項２】
本発明は、扉の機能及び用途の状態を分析して、住人が外出して帰宅するまでの扉の状態をパターンとしてまとめ、又屋内へ不法に侵入しようとする犯罪者の行動パターンも分析して、扉の用途の状態に対応した複数のパターンを、請求項１の方法により生成した。複数のパターンの中から防犯上必要と思われる、３通りのパターンを、モードとして分類して、分類されたモードは、全錠を施錠しての外出モードと、一部の錠は施錠しない在宅モードと、全施錠又は一部施錠で扉の開閉を感知する就寝モードである。各モードは使用者が状況に応じて設定スイッチにより選択できることを特徴とした扉監視装置。
【請求項３】
本発明は、使用者が設定スイッチで使用者の状況に合ったモードを選択するだけで、現在使用中の鍵以外の物は必要なく、日常の鍵操作以外の操作をする必要がないことを特徴とした扉監視装置。
【請求項４】
本発明は、請求項２及び請求項３のモードを電気信号に置き換えてプログラムした各モードと、扉及び錠の状態を監視して動作を検出した結果の信号を照合し、使用者が選択したモードと各センサーの信号が合致しない場合は、警報を発する信号を送出する、コントロール部を内蔵していることを特徴とした扉監視装置。
【請求項５】
扉の錠は屋外から鍵を使用して施錠又は解錠するが、屋内側ではサムターンと呼ばれる操作部品を回転させ、施錠又は解錠の操作をすることによって、扉に内蔵された回転軸が回転して、施錠又は解錠の動作をする。本発明は屋内側サムターン付近に設置して、サムターン又は回転軸の施錠又は解錠の動作を監視するために、磁石センサー又は光電センサー又は近接スイッチ又はリミットスイッチのいずれかを使用して、サムターン又は回転軸の施錠又は解錠の状態を、電気信号に変換してコントロール部に送信する、サムターン検知部を内蔵したことを特徴とした扉監視装置
【請求項６】
扉の開閉を監視するために、磁石センサー又は光電センサー又は近接スイッチ又はリミットスイッチのいずれかを使用して、扉の開閉を電気信号に変換してコントロール部に送信する、扉開閉検知部を内蔵したことを特徴とした扉監視装置。
【請求項７】
扉の異常な振動を感知するために、振動センサーを使用して振動センサーの信号をコントロール部に送信する、振動検知部を内蔵したことを特徴とした扉監視装置。
【請求項８】
本発明は、コントロール部の命令で警報を制御する報知部を内蔵したことを特徴とした扉監視装置。
【請求項８】
本発明は、報知部の命令に従い内蔵の威嚇ブザーを制御できることを特徴とした扉監視装置。
【請求項９】
本発明は、報知部の命令に従い外部の防犯関連機器を操作する目的のために、常時閉の接点信号と常時開の接点信号を、外部警報出力端子に送出することを特徴とした扉監視装置。
【請求項１０】
本発明は、サムターンの監視用センサーの高さ調整ができるように、サムターンの監視用センサーを可動式としたことを特徴とした扉監視装置。
【請求項１１】
本発明は、使用者が設置又は移設を簡単に行うために各センサーの応答部品を除き一体型としたことを特徴とした扉監視装置。
【発明の詳細な説明】
【発明の詳細な説明】
【方法】
【０００１】扉の錠は部外者の侵入を防止するために、使用者が鍵を使って施錠することを目的に設置されている。錠が複数個設置された扉では、その内の１つは解錠状態で放置しておく方が、防犯上有意義だと思える。犯罪者が合鍵やピッキングで侵入を試みる場合は、総ての錠が施錠されている状態を想定して、解錠行為に至るから解錠状態で放置された錠は、逆に施錠されその結果扉は開かず、犯罪者は混乱する。使用者は解錠状態で放置した錠が何処なのか、認識しているから施錠した錠だけを、解錠して扉を開くことができる。これが本発明の、状態の認識による分類及び認証方法である。
【装置】
【０００２】本発明は、扉の機能及び用途の状態を分析して、住人が外出して帰宅するまでの扉の動作をパターンとしてまとめ、扉の用途の状態に対応した複数のパターンを請求項１の方法を使用して生成し、複数のパターンの中から防犯上必要と思われる、３通りのパターンを、モードとして分類した。分類したモードを実行するために、コントロール部とサムターン検知部と扉開閉検知部と振動検知部及び、コントロール部が請求項１の方法で認証されていない者の操作と判断した場合は、警報を発する報知部で構成されている。
【０００３】コントロール部は、使用者の選択したモードに従い、選択されたモードに必要な各検知部の信号を収集して、パターンとモードの照合を行い一致しない場合は、報知部に警報命令を出す。
【０００４】サ厶ターン検知部は、磁石センサーを採用して、使用者が監視をしたい錠のサムターン平面部分に、磁石センサーの応答部品である磁石テープを貼り付け、施錠又は解錠の状態を、サムターンの動作として監視することにより検出し、検出した結果は施錠信号か解錠信号としてコントロール部に送信される。
【０００５】扉開閉検知部は、磁石センサーを採用して、サブ扉又は扉枠に磁石センサーの応答部品である磁石を貼り付け、扉の開の状態を検出し、検出した結果は開扉信号としてコントロール部に送信される。
【０００６】振動検知部は、振動センサーで扉の異常な振動を検出し、検出した結果は異常信号としてコントロール部に送信される。
【０００７】外出モードは、本発明を設置した錠の施錠された状態をサムターン検知部が監視するモードで、使用者が屋外から、鍵を使用して本発明を設置した錠を、施錠すると、サムターン検知部からコントロール部に施錠信号が送信され、サムターンの監視が始まり、解錠することによりサムターン検知部からコントロール部に解錠信号が送信される。コントロール部では解錠信号を受信してから、モードで設定された時間待機して、この解錠操作が請求項１の方法で認証された者の操作なのか、認証されていない者の操作かを判断する。設定された時間が経過するとコントロール部から報知部に警報制御の信号が送信され内蔵された威嚇ブザーが一定の時間鳴り、外部警報出力端子に警報信号が送出される。設定された時間内に再び施錠することによって、サムターン検知部からコントロール部に施錠信号が送信され、コントロール部は、再びサムターンの監視を始める。請求項１の方法で認証された者は、他の錠から解錠して最後にサムターンの監視をしている錠を解錠する。鍵は鍵穴に差した状態で扉を開け、そのまま再び施錠する。施錠することによって、サムターンの監視が再び始まり警報は鳴らない。屋内に入り設定スイッチをＯＦＦにしてから、解錠して扉を閉める。
【０００８】在宅モードは、本発明を設置した錠の解錠された状態をサムターン検知部が監視するモードで、このモードを選択した時点でサムターン検知部がサムターンの監視を始める。外出する場合は、鍵を使用してサムターンの監視をしている錠以外の錠を施錠する。帰宅時に解錠する時は、施錠した錠だけを解錠する。屋内より施錠する場合は、サムターンの監視をしていない錠だけを、サ厶ターンで施錠する。サムターンの監視をしている錠が施錠されると、サムターン検知部からコントロール部に施錠信号が送信され、コントロール部から報知部に警報制御の信号が送信され内蔵された威嚇ブザーが一定の時間鳴り、外部警報出力端子に警報信号が送出される。
【０００９】就寝モードは、本発明を設置した錠の解錠された状態をサムターン検知部が監視すると同時に、扉開閉検知部が扉の開閉を監視するモードで、このモードを選択した時点でサムターン検知部がサムターンの監視を、又扉開閉検知部が扉の開閉の監視を始める。サ厶ターンの監視は在宅モードと同じだが、扉開閉検知部は、扉が閉じた状態を監視して、扉が開いた時に開扉信号をコントロール部に送信する。コントロール部から報知部に警報制御の信号が送信され内蔵された威嚇ブザーが一定の時間鳴り、外部警報出力端子に警報信号が送出される。このモードでは使用者といえども警報なしでは屋外からの入室はできない。
【００１０】ＯＦＦモードは、本発明の電源を切り総ての機能が停止する。このモード以外のモードでは、振動検知部が扉の異常な振動を監視して、異常な振動を検出した場合は、異常信号としてコントロール部に送信する。コントロール部から報知部に警報制御の信号が送信され内蔵された威嚇ブザーが一定の時間鳴り、外部警報出力端子に警報信号が送出される。
【技術分野】
【００１１】本発明は、状態の認識による分類及び認証方法と、その方法を用いた扉の監視を目的とした防犯に関するものである。
【産業上の利用分野】
【００１２】本発明は、扉内側のサムターン付近に、両面テープで設置して、サムターンの施錠又は解錠の動作と、扉の異常な振動と、扉の開閉を監視する。ピッキングや合鍵によって、侵入しようとする部外者の施錠及び解錠を感知して、威嚇ブザーを鳴らし、部外者の開扉及び屋内への侵入を抑止できる。本発明に内蔵した振動センサーが、ドリル等での扉や錠の破壊を監視する。本発明を設置した扉付近での接客時に、危険を感じた場合は、扉を叩くことによって警報を発するため、部外者の退散を期待できる。
【背景技術】
【００１３】ピッキング対策として、鍵穴の形状を変更する、扉自体の開閉を監視する装置又は、サムターンの施錠だけを監視する装置は存在するが、既設現状の鍵の操作だけで、サムターンの施錠と解錠を監視、そして扉の状態を監視する装置及び方法は存在しない。
【発明が解決しようとする課題】
【００１４】ピッキングやドリルでの侵入犯、ストーカー行為の待ち伏せや侵入、就寝中の押し込み強盗に押し売り、居直り等、犯罪との最初の接点は玄関の扉であり、その扉を厳重に守ることによって、安全な屋内が確保されるが、玄関は大切なその家の顔でもあり、出入の際は頻繁に通る重要な通路でもある。そんな場所に厳重な防犯設備を設置して、出入の度に面倒な操作をすることは困難に等しい。日常の生活パターンの中に自然に溶け込み、不幸にして異常事態が発生して、警報を耳にしてから、防犯装置の存在を再認識する、そんな空気のような存在の防犯装置であって、要求される能力は、常に防犯の要である扉を監視して、扉が開く前に作動して警報を発し、犯罪を未然に防止することが可能な、美観を損なわず誰でも簡単に取り付けができて、犯罪者がその装置自体の知識を得ても、簡単に対応できない装置で、その装置が存在するだけで、犯罪を防止できる防犯装置の開発である。
【問題を解決するための手段】
【００１５】請求項１の方法により、目的を達成するための動作に、目的を達成するための動作の中断を加えて、その状態の認識を持つ者と持たない者に分類して、認識を持つ者だけを権利者として承認することにより、使用者に状態の認識さえあれば特別な機器の操作をすることもなく、扉の開閉も自由に行える防犯システムを開発した。
【００１６】扉と扉周辺で起きる犯罪を分析して、扉自体を監視すると同時に扉周辺の異常事態にも対応できるように、扉に衝撃を加えるだけで警報を発するシステムとした。
【００１７】サムターン方式の錠が、複数個設置された扉では、鍵を掛けない錠も防犯の視点から必要であり、その鍵の掛かっていない錠がどれなのかは、請求項１の方法により、認証された者しか認識していない。認証されていない者が開扉に至るまでの手順として、総ての錠が施錠されているとの前提から、解錠行為が始まり施錠されていない錠は、解錠するつもりで施錠される、外部からは錠の状態を把握する事は困難である点に注目してパターンを生成した。
【００１８】使用者の状況に適したモードが設定スイッチで選択できる。在宅モードの場合は本発明を操作することなく、警戒が可能である。就寝モードでは、部外者によるピッキングや、合鍵による施解錠を監視すると共に、扉の開閉を監視して二重の監視体制を維持するため、設定されたモードの認識を持つ使用者でも、外部からの入場は無理である。
【作用】
【００１９】サムターン（１）を施錠位置（２）にして、サ厶ターンの平行面の延長空間に本発明の設置スペースがあることを確認後サムターンに磁石テープ（４）を貼付。設置スペースにサムターン監視装置（５）を、サムターンに貼付した磁石テープと平行に両面テープで貼り付け設置する。磁石スイッチ（６）の固定ビス（７）を緩め調整バー（８）で磁石テープと２〜３Ｃｍ位の間隔で平行となるように調整して固定する。扉の開閉を監視するために開閉監視用磁石（１３）を内蔵センサー（２１）に合わせ２〜３Ｃｍ位の間隔で平行となるようにサブ扉又は扉枠（２２）に貼り付ける。微調整は、サムターンを解錠位置（９）に戻しサムターン監視装置のパターン選択（１０）を在宅モード（１１）に設定してサ厶ターンを施錠位置に合わせ警報確認後パターン選択スイッチをＯＦＦ（１４）  サムターンを解錠位置に戻しパターン選択を外出モード（１６）に設定してサムターンを施錠位置に合わせ  暫時待機して威嚇ブザー（１７）が作動しないことを確認後、サムターンを解錠位置に戻す  ５秒後に威嚇ブザーが作動することを確認してサムターンを施錠位置に合わせる  扉（１８）に衝撃を与え警報が作動することを確認して  サムターンを解錠位置に戻しパターン選択を就寝モード（１９）にする。扉を開けて威嚇ブザーが作動することを確認して扉を閉めサムターンを施錠位置に合わせ威嚇ブザーの作動を確認後、パターン選択をＯＦＦにする。
【実施例】
【００２０】本発明の実施例について説明する。
（イ）設定スイッチで外出モードに設定、屋外に出て施錠後に本発明がサムターンの動作監視を開始。ピッキング及び合鍵で解錠した場合、５秒後に威嚇ブザーが作動する。使用者の帰宅時は、解錠して鍵は鍵穴に挿した状態で開扉、開扉の状態で５秒以内に再び施錠して、設定スイッチをＯＦＦにしてから、解錠して鍵を抜き取る。
（ロ）設定スイッチで在宅モードに設定、本発明がサムターンの動作監視を開始。外部に出てサムターンを監視している錠以外を施錠する。ピッキング及び合鍵で監視しているサムターンを動作させた場合、０秒後に威嚇ブザーが作動する。使用者の帰宅時は、サムターンを監視している錠は解錠せず、その他の錠のみ解錠して開扉する。監視しているサムターンを動作させない限り、扉の開閉は自由である。
（ハ）設定スイッチで就寝モードに設定、本発明がサムターンの動作監視を開始。監視しているサムターンは解錠の状態で、他のサムターンだけを施錠する。本発明がサムターンの動作と、扉の開閉を監視。外部からは、使用者でも警報無しでは入ることは出来ない。
（ニ）ＯＦＦモード以外の、各モードを選択した場合、内蔵の振動センサーが、扉の振動を監視。扉に衝撃を与えるか、ドリルで錠の破壊を試みた場合は、威嚇ブザーが作動する。
【発明の効果】
【００２１】犯罪が増加する原因の一つは、鍵にしても防犯装置にしても、常識的な立場で発案された単調なシステムで、そのシステムの情報は一般に公開されているため、犯罪者が容易に情報を入手でき簡単に解析されているのが現状である。本発明の扉監視装置は、使用者が状況に応じて設定することで、犯罪者の意図する事と正反対の結果が生まれる。一般に公開することによって犯罪の抑止につながり、設置することで防犯効果を向上できる。
【図面の簡単な説明】
【００２２】
【図１】本発明の外出モードのシステム図である
【図２】本発明の在宅モードのシステム図である
【図３】本発明の就寝モードのシステム図である
【図４】本発明の外観を示す平面図である
【図５】本発明の設置例を示す斜視図である
【符号の説明】
【００２３】１  サムターン
２  施錠位置
３  電源表示灯
４  磁石テープ
５  サムターン監視装置
６  磁石スイッチ
７  固定ビス
８  調整バー
９  解錠位置
１０  パターン選択スイッチ
１１  在宅モード
１２  外出モード
１３  開閉監視用磁石
１４  ＯＦＦ
１５  サムターン本体
１６  磁石スイッチリード線
１７  威嚇ブザー
１８  扉
１９  就寝モード
２０  外部警報引出し穴
２１  内蔵センサー
２２  サブ扉又は扉枠
【図１】
2005030176.tif 000003
【図２】
2005030176.tif 000004
【図３】
2005030176.tif 000005
【図４】
2005030176.tif 000006
【図５】
2005030176.tif 000007
【手続補正書】
【提出日】平成15年10月21日(2003.10.21)
【手続補正１】
【補正対象書類名】特許請求の範囲
【補正対象項目名】全文
【補正方法】変更
【補正の内容】
【特許請求の範囲】
【請求項１】
目的を達成するために動作する機械及び機器であっても、使用の判断でその動作を中止することが可能であり、動作を中止された機械及び機器は目的を達成していない状態で待機している。目的が達成されていない状態を確認できない状況では、その動作の中止を判断して動作の中止を実行した使用者だけが、目的が達成されていない状態を把握している。目的が達成されていない状態の認識がある者だけを、使用者として分類及び認証する。目的が達成されていない状態の認識がない者は部外者として除外する。
認証された者だけが目的を達成又は放棄する権利を得る、状態の認識による分類及び認証方法。
【請求項２】
本発明は、扉の機能及び用途の状態を分析して、住人が外出して帰宅するまでの扉の状態をパターンとしてまとめ、又屋内へ不法に侵入しようとする犯罪者の行動パターンも分析して、扉の用途の状態に対応した複数のパターンを、請求項１の方法により生成した。複数のパターンの中から防犯上必要と思われる、３通りのパターンを、モードとして分類して、分類されたモードは、全錠を施錠しての外出モードと、一部の錠は施錠しない在宅モードと、全施錠又は一部施錠で扉の開閉を感知する就寝モードである。各モードは使用者が状況に応じて設定スイッチにより選択できることを特徴とした扉監視装置。
【請求項３】
本発明は、使用者が設定スイッチで使用者の状況に合ったモードを選択するだけで、現在使用中の鍵以外の物は必要なく、日常の鍵操作以外の操作をする必要がないことを特徴とした扉監視装置。
【請求項４】
本発明は、請求項２及び請求項３のモードを電気信号に置き換えてプログラムした各モードと、扉及び錠の状態を監視して動作を検出した結果の信号を照合し、使用者が選択したモードと各センサーの信号が合致しない場合は、警報を発する信号を送出する、コントロール部を内蔵していることを特徴とした扉監視装置。
【請求項５】
扉の錠は屋外から鍵を使用して施錠又は解錠するが、屋内側ではサムターンと呼ばれる操作部品を回転させ、施錠又は解錠の操作をすることによって、扉に内蔵された回転軸が回転して、施錠又は解錠の動作をする。本発明は屋内側サムターン付近に設置して、サムターン又は回転軸の施錠又は解錠の動作を監視するために、磁石センサー又は光電センサー又は近接スイッチ又はリミットスイッチのいずれかを使用して、サムターン又は回転軸の施錠又は解錠の状態を、電気信号に変換してコントロール部に送信する、サムターン検知部を内蔵したことを特徴とした扉監視装置
【請求項６】
扉の開閉を監視するために、磁石センサー又は光電センサー又は近接スイッチ又はリミットスイッチのいずれかを使用して、扉の開閉を電気信号に変換してコントロール部に送信する、扉開閉検知部を内蔵したことを特徴とした扉監視装置。
【請求項７】
扉の異常な振動を感知するために、振動センサーを使用して振動センサーの信号をコントロール部に送信する、振動検知部を内蔵したことを特徴とした扉監視装置。
【請求項８】
本発明は、コントロール部の命令で警報を制御する報知部を内蔵したことを特徴とした扉監視装置。